(57)【要約】      （修正有）【課題】紙葉類の綴じ穴に綴じ足を挿通して紙葉類を綴じる、所謂フラットファイルやパイプファイルは、綴じられた紙葉類の途中にある紙葉を抜いたり、途中に新たに紙葉を差し込んだりしようとする時は、その上にある紙葉を一旦ファイルから抜かない限り行うことが出来ず、ファイルの中身を頻繁に差し替えたりするには大変面倒であった。【解決手段】綴じ足を断面が扁平な綴じ足心棒と、それを挿入する綴じ足管８４の２重構造とし、裂開溝付き用紙の裂開溝から綴じ足心棒をスライドして綴じ穴８５に導き、綴じ足管８４を綴じ足心棒に被せて綴じ足を綴じ穴８５から出られないようにする事で、用紙Ｐ４を綴じるようにする綴じ具とする。【選択図】図４
2010137541.tif 000002
【特許請求の範囲】
【請求項１】
紙葉類の綴じ穴に綴じ足を挿通して紙葉類を綴じる綴じ具に於いて、綴じ足が、扁平な綴じ足心棒と、この扁平な綴じ足心棒を挿入出来る綴じ足管からなり、少なくとも紙葉類を綴じるために実質的に綴じ足として使用される部分に於いて、綴じ足管が綴じ具側壁面またはファイル背表紙面側に平面を有する事を特徴とする綴じ具。
【発明の詳細な説明】
【技術分野】
【０００１】
本発明は紙葉類（オフィス、家庭等に於ける紙、フィルム、等の各種枚葉状の書類、カタログ等）に綴じ穴を設け、綴じ穴に綴じ足を挿通する事で紙葉類を綴じ込む綴じ具に関する。
【背景技術】
【０００２】
従来より、紙葉類のファイルには紙葉類に綴じ穴を開け、ファイルに付属する綴じ具の綴じ足を挿通することで綴じる方法が行われてきた。又、紙葉類に綴じ穴を開けて綴じるファイル方法にも、綴じ枚数がそれほど多くない場合は、所謂フラットファイルと呼ばれる紙製ファイルの裏表紙側に固定された屈曲可能な綴じ足を紙葉類の綴じ穴に挿通し、おもて表紙側に突き出した綴じ足を分離されたレール状の綴じ具の穴に挿通し屈曲させて係止する方法（特許文献１）と、綴じ枚数が多い場合は、屈曲しない綴じ足（多くはパイプ状、金属又はプラスチック製）を綴じ穴に挿通する所謂パイプファイル（特許文献２）と呼ばれるものがありどちらも広く使われてきた。
【特許文献１】特開２００２−１７８６７８
【特許文献２】特開２００６−８２２０４
【発明の開示】
【発明が解決しようとする課題】
【０００３】
しかしながら、従来の綴じ具によるファイルは、中間や下の方にファイルされた紙葉を取り出す時、又は逆に書類を追加したり差し替えたりするときは、その上にある紙葉を一旦ファイルから抜かない限り行う事が出来ず、この作業を頻繁に行うファイルの使い方に於いては、大変面倒な作業であった。即ち、本発明が解決しようとする課題は、紙葉を抜き差しする際、その上にある紙葉を抜かないで行えるようにする事であり、そのための綴じ具を提供する事である。
【課題を解決するための手段】
【０００４】
本発明は、紙葉類の綴じ穴に綴じ足を挿通して紙葉類を綴じる綴じ具に於いて、綴じ足が、扁平な綴じ足心棒と、この扁平な綴じ足心棒を挿入出来る綴じ足管からなり、少なくとも紙葉類を綴じるために実質的に綴じ足として使用される部分に於いて、綴じ足管が綴じ具側壁面またはファイル背表紙面側に平面を有する事を特徴とする綴じ具とする。
【発明の効果】
【０００５】
発明の効果は次の通りである。上記本発明による綴じ具の綴じ足は、裂開溝付き綴じ穴を有する用紙の裂開溝を抵抗なく綴じ穴にまで到達出来、綴じ穴の中で裂開溝に戻れないように変化させる事が可能であり、この変化を元に戻せば抵抗なく用紙は綴じ具から外す事が出来る。即ち、従来綴じ穴に綴じ足を挿通する事で紙葉類を綴じるファイル方法に於いては、綴じられた積層状態の紙葉類の途中の枚数目で目的の紙葉類を抜いたり、目的の箇所（枚数目）に紙葉を差し込んだりしようとした時は、その上にある紙葉は全て一旦ファイルから取り除かなくてはならなかった。しかし本発明は、ファイルされた積層状態の紙葉のどの箇所（枚数目）からでも、又はどの箇所（枚数目）へもその上にある紙葉は綴じ足に綴じたまま簡単に行えるという画期的な発明効果が得られる。例えば、鉄道、航空業務におけるマニュアルファイルは１冊のファイルに多くの書類がファイルされ、内容変更による差し替えは日常的でかつ大変重要である。本発明によりマニュルの差し替え作業は画期的に簡単になる。即ち、ファイルされた紙葉類順序を入れ替えたり、差し替えたり、加えたり、抜いたりという事を頻繁に行うような使い方には画期的効果を有する。
【発明を実施するための最良の形態】
【０００６】
図１〜図５は本発明の実施形態を示す。図１は裏表紙８０、背表紙８１、表表紙８２からなる硬いファイルシートF２の裏表紙８０には、綴じ足心棒８３が裏面から突き出している。綴じ足心棒８３は幅２．５ｍｍ、厚み１．０ｍｍ、金属製の薄い細長い棒で、幅面がお互いに向き合う位置、即ち、紙葉Ｐ４の裂開溝８６からいつでも綴じ穴８５に入れる向きに固定されている。別に、上記綴じ足心棒８３が中心にピッタリ入る内径を持った筒状の綴じ足管８４がある。綴じ足管は、最大外形４．５ｍｍ、内径３．０ｍｍで、図面からは見えない背表紙側が平らになっている長さは綴じ足心棒８３とほぼ同じである筒状棒を２本繋げたプラスチック成型品である。
【０００７】
図２は、綴じ足心棒８３の先端から綴じ足管８４を被せ、綴じ足心棒８３の一部が綴じ足管８４の筒部の中に入った状態の斜視図である。紙葉Ｐ４の綴じ穴８５に繋がる裂開溝８６の最狭幅部は１．２ｍｍであり、綴じ足心棒８３の厚みは１．０ｍｍであり、紙葉Ｐ４は綴じ足心棒８３を綴じ穴８６まで差し込む事が出来る。この状態の斜視図が図３である。図４は図３に於いて、綴じ足８４を下まで押し下げた状態を示す斜視図である。即ち、綴じ足心棒８３より大きな直径の綴じ足管８４が綴じ穴８５にスッポリ収まった訳で、この状態では紙葉Ｐ４は綴じられた状態になる。この逆の操作で、紙葉は抜く事が出来る。一つの綴じ穴８５と一つの綴じ足心棒８３、一つの綴じ足管８４に着目した平面図で、上記変化を示したものが図５である。図５ａは図２を、図５ｂは図３を、図５ｃは図４に於ける紙葉Ｐ４面における綴じ足（綴じ足心棒８３、綴じ足管８４）の動きを断面（斜線）で示した。図５ｂでは綴じ足心棒８３のみが綴じ穴８５に入り、図５ｃでは、綴じ足心棒８３は綴じ足管８４の筒の中に入り、合体した全体としての綴じ足は綴じ穴８５から裂開溝８６の方に出られない事が分かる。本実施形態は従来の所謂パイプファイルに近いが、綴じ足心棒８３が裂開溝８３の最狭幅部より薄い厚みにする事と、綴じ足管の片面が平らになっていて初めて達成される。尚、本実施形態は、筐体に組み込み、筐体の側面をファイルの背表紙などに固着するように発展させても良い。
【０００８】
本実施形態による用紙は、裂開溝付き綴じ穴を有している。裂開溝幅は１．２ｍｍ、綴じ穴は直径６ｍｍ、綴じ穴中心から綴じ側端辺までは１３ｍｍ、２つの綴じ穴中心距離は８０ｍｍの用紙で、綴じ側端辺側の裂開溝は広がって開放されている。勿論、上下どちらか片方側だけに広がっていても問題はない。
【０００９】
以上、実施形態に示した通り、本発明は綴じ穴裂開溝を設けた紙葉の綴じ穴裂開溝から綴じ足になるものを綴じ穴裂開溝の最狭幅部より狭い状態で綴じ穴に導き、綴じ穴の中で綴じ穴から出られないように綴じ足の向き角度を変角したり、大きさを変えたり（円筒をはめる）り、様々な手段で、綴じ込み、そして大事な事は元の状態に綴じ足を戻すと綴じ足及び綴じ足心棒は綴じ穴裂開溝を通る事が出来、紙葉を抜く事が出来る。この発明によれば、数多くの紙葉が綴じられていても、如何なる枚数目からでも紙葉を抜いたり、差し込んだりが簡単に出来る事になる。多くの書類をファイルした状態で、マニュアルの差し替えなど頻繁に起こる仕事では、特に効果が高い綴じ具及びファイルが提供可能となる事が分かるであろう。また、本実施形態では示さなかったが、従来方式の裂開溝を有しない綴じ穴の用紙でも、本発明による裂開溝付き用紙でもどちらも綴じるような仕様は簡単に出来る事も明白である。
【図面の簡単な説明】
【００１０】
【図１】実施形態のファイルシートＦ２の使用前斜視図
【図２】綴じ足心棒先端に筒状の綴じ足管を被せた斜視図
【図３】綴じ足心棒が綴じ穴に入った斜視図
【図４】綴じ足管が綴じ足心棒の下まで被さった斜視図
【図５】綴じ穴面位置での綴じ足心棒と綴じ足管の動きを説明する図
【符号の説明】
【００１１】
Ｐ４                              紙葉
Ｆ２                              ファイルシート
８２                              表表紙
８０                              裏表紙
８１                              背表紙              
８３                              綴じ足心棒
８４                              綴じ足管
８５                      （紙葉）綴じ穴
８６                      （紙葉）裂開溝
８７                      （紙葉）導入口
【図１】
2010137541.tif 000003
【図２】
2010137541.tif 000004
【図３】
2010137541.tif 000005
【図４】
2010137541.tif 000006
【図５】
2010137541.tif 000007